(57)【要約】【課題】ＣＡＴＶではＢＳデジタルや地上デジタル放送などの既存の放送の再送信に加え、自主放送や選択したサービスをリマックスして送信するため、緊急警報記述子を運用していないネットワークを視聴する場合があり、１チューナでは常態監視が不可能であった。【解決手段】ＱＡＭとＯＦＤＭの２チューナを有し、一方のチューナで通常の視聴や所定情報の取得のための選局中に他方のチューナでＴＭＣＣまたはＴＳＭＦ信号を監視し、緊急警報放送を検知し、告知デバイスを動作させることにより、緊急警報放送の常時監視を可能にする。また予定されている緊急警報放送のテスト期間には告知デバイスを動作させない手段を儲けることにより、不用意な告知デバイスの動作を回避する。【選択図】図１
2007228117.tif 000002
【特許請求の範囲】
【請求項１】
地上デジタル放送のパススルー伝送方式の信号を受信するＯＦＤＭチューナとデジタル放送のトランスモジュレーション伝送方式の信号を受信するＱＡＭチューナの両方を有し、夫々のチューナからの入力信号を同時に復調する手段と、どちらか一方のチューナの復調信号をＴＳデコードし、映像、音声、番組情報などの情報を取得する手段と、取得した前記映像、音声をデコードし出力する手段を有し、ＣＡＴＶ局から地上デジタル放送はパススルー伝送方式で、それ以外のデジタル放送はトランスモジュレーション伝送方式で信号配信を行う場合に、電源ＯＮ時や電源待機中にＱＡＭチューナ側からの復調信号をＴＳデコードしている場合は、ＯＦＤＭチューナ側を緊急警報放送を運用する特定のチャンネルに同調し復調する手段と、復調信号からＴＭＣＣ信号を監視する手段を有し、ＯＦＤＭチューナ側からの復調信号をＴＳデコードしている場合は、ＱＡＭチューナ側を緊急警報放送を運用する特定のチャンネルに同調し復調する手段と、復調信号からＴＳＭＦ信号を監視する手段を有し、前記ＴＭＣＣ信号またはＴＳＭＦ信号が検知された場合に、警報装置を動作させる手段を有したＣＡＴＶ受信装置。
【請求項２】
前記特定のチャンネルの復調信号からＴＭＣＣ信号またはＴＳＭＦ信号を監視する手段において、予め規定した期間は監視機能を無効にする手段を有する請求項１記載のＣＡＴＶ受信装置。
【請求項３】
ＣＡＴＶ局が地上デジタル放送はパススルーとトランスモジュレーションの両方式を伝送する場合に、ＱＡＭチューナ側は全ての放送の通常視聴に用い、ＯＦＤＭチューナ側は常時、緊急警報放送を運用する特定のチャンネルに同調する手段を有した請求項１記載のＣＡＴＶ受信装置。
【請求項４】
ＣＡＴＶ局からの地上デジタル放送がパススルー方式のみで伝送されているのか、パススルー方式とトランスモジュレーション方式の両方式で伝送されているのかを自動で検知する手段を有し、請求項１記載の緊急警報放送監視手段と請求項３記載の緊急警報放送監視手段を切り換える手段を有したＣＡＴＶ受信装置。
【発明の詳細な説明】
【技術分野】
【０００１】
本発明は、緊急警報放送を受信することのできるデジタルＣＡＴＶ受信装置に関するものである。
【背景技術】
【０００２】
地上デジタル放送やＢＳデジタル放送などでは、緊急警報放送の運用がＡＲＩＢで規格化されており、上記デジタル放送の受信機は受信している信号中に緊急警報放送が運用されていることを示す情報を検知することが可能である。
【０００３】
また、上記のデジタル放送をＣＡＴＶ局から伝送する場合、地上デジタル放送はパススルー（ＯＦＤＭ）方式とトランスモジュレーション（ＱＡＭ）方式があり、それ以外のＢＳデジタル放送や自主放送などはＱＡＭ方式で伝送されているのが一般的であり、全ての放送をＱＡＭ方式で受信する１チューナのデジタルＣＡＴＶ受信装置が主流である。このようなＣＡＴＶによる伝送においてもＡＲＩＢと同様にＪＣＴＥＡによって緊急警報放送の運用方法が定義されており、
ＣＡＴＶ受信装置において、緊急警報放送を検知し、視聴者に告知する手段が提供されている。
【特許文献１】特開２００２−７７８４７号公報
【発明の開示】
【発明が解決しようとする課題】
【０００４】
現時点では、緊急警報放送が確実に運用されるのは地上デジタル放送のＮＨＫだが、デジタルＣＡＴＶの場合、多チャンネルなので、ユーザは地上デジタル放送を視聴しているとは限らず、１チューナのＣＡＴＶ受信装置の場合、緊急警報の情報を検知する機会を逸してしまう可能性が多い。また、デジタル受信機の場合、電源待機（スタンバイ）中も、番組データの蓄積や契約情報の取得のために、特定のチャンネルを受信する必要があり、従来の１チューナのデジタルＣＡＴＶ受信装置では電源待機中の緊急放送を常時監視できないという問題があった。さらに、近年では、ＣＡＴＶ局による地上デジタル放送の伝送方式に合せて、パススルー方式でもトランスモジュレーション方式でも受信できるＯＦＤＭチューナとＱＡＭチューナを２チューナ搭載したＣＡＴＶ受信装置も提供されているが、通常はどちらか一方の方式で地上デジタル放送を受信するため、緊急警報放送を運用していない地上デジタル放送のチャンネルを視聴中は、緊急警報放送を検知できないという課題があった。
【課題を解決するための手段】
【０００５】
前記従来の課題を解決するために、本発明のＣＡＴＶ受信装置は、地上デジタル放送のパススルー伝送方式の信号を受信するＯＦＤＭチューナとデジタル放送のトランスモジュレーション伝送方式の信号を受信するＱＡＭチューナの両方を有し、夫々のチューナからの入力信号を同時に復調する手段と、どちらか一方のチューナの復調信号をＴＳデコードし、映像、音声、番組情報などの情報を取得する手段と、取得した前記映像、音声をデコードし出力する手段を有し、ＣＡＴＶ局から地上デジタル放送はパススルー伝送方式で、それ以外のデジタル放送はトランスモジュレーション伝送方式で信号配信を行う場合に、電源ＯＮ時や電源待機中にＱＡＭチューナ側からの復調信号をＴＳデコードしている場合は、ＯＦＤＭチューナ側を緊急警報放送を運用する特定のチャンネルに同調し復調する手段と、復調信号からＴＭＣＣ信号を監視する手段を有し、ＯＦＤＭチューナ側からの復調信号をＴＳデコードしている場合は、ＱＡＭチューナ側を緊急警報放送を運用する特定のチャンネルに同調し復調する手段と、復調信号からＴＳＭＦ信号を監視する手段を有し、前記ＴＭＣＣ信号またはＴＳＭＦ信号が検知された場合に、警報装置を動作させる手段を有する。
【発明の効果】
【０００６】
本発明によると、ＣＡＴＶ局の地上デジタル放送の伝送方式に応じて、効果的に緊急警報放送の有無を監視し、ほぼ機会を逸することなく視聴者に告知することができる。また、２つのチューナにて２つの伝送方式を同時に受信していても、復調部のみで緊急警報放送の検知が可能なため、ＴＳデコーダは１つのみでよいため処理の負荷がかからず、回路構成が安価かつ簡単に実現可能である。
【発明を実施するための最良の形態】
【０００７】
（実施の形態１）
図１は、本発明の実施の形態１に係るＣＡＴＶ受信装置を示す。前記ＣＡＴＶ受信装置１００は、ＣＡＴＶ局から伝送されるＲＦ信号を受信するＱＡＭチューナ１０１、およびＯＦＤＭチューナ１０３、およびそれぞれのチューナに入力した信号を復調するＱＡＭ復調部１０２、ＯＦＤＭ復調部１０４、前記２つの復調部からの出力のどちらか一方に切り換える選択部１１３、選択部１１３からの復調信号をＴＳデコードするデマルチプレクサ１０６、さらにＴＳデコードされた信号から映像、音声信号をデコードするＡＶデコーダ１０７、テレビなどの表示装置に出力するためのＤＡ変換部１０８、ＯＦＤＭ復調部１０９４から緊急警報放送を検出する緊急警報放送検出部１０５、電源１１０を内蔵し、これらをＣＰＵ制御部１０９で制御する。
【０００８】
さらに操作のためのリモコン１１１、緊急警報放送を検知してユーザに告知する告知デバイス１１２を備え、これらもＣＰＵ制御部１０９にて制御される。次に、上記構成に従い、本発明の実施の形態１においてＣＡＴＶ局から地上デジタル放送がパススルー方式で、その他の放送はトランスモジュレーション方式で配信されている場合の動作を図２のフローチャートを用いて説明する。
【０００９】
ＣＡＴＶ受信装置１００の電源１１０が通電されており、電源ＯＮ状態でのリモコン１１１からのユーザ操作による選局指示またはスタンバイ状態での番組情報や契約情報の取得のための所定のチャンネルの選局指示（Ｓ２０２）がＣＰＵ制御部１０９よりあった場合に、その選局指示のチャンネルが地上デジタル放送である場合（Ｓ２０３のＹｅｓ）に、ＯＦＤＭチューナ１０３で指示チャンネルを選局（Ｓ２０４）し、選択部１１３でＯＦＤＭ復調部１０４側を選択し、デマルチプレクサ１０６でＴＳデコードし、ＡＶデコーダ１０７、ＤＡ変換部１０８を介して、ＡＶデコード出力処理（Ｓ２１２）を行う。
【００１０】
一方、ＱＡＭチューナ１０１は緊急警報放送が運用されている所定のチャンネルを選局（Ｓ２０５）し、ＱＡＭ復調部１０２で復調し、緊急警報放送検出部１０５でＴＳＭＦ信号を検出（Ｓ２０６）する。また、前記選局指示のチャンネルが地上デジタル放送でない場合（Ｓ２０３のＮｏ）は、ＱＡＭチューナ１０１で指示チャンネルを選局（Ｓ２０７）し、選択部１１３でＱＡＭ復調部１０２側を選択し、一方、予め所定のアナログ出力信号に変換し、デマルチプレクサ１０６でＴＳデコードし、ＡＶデコーダ１０７、ＤＡ変換部１０８を介して、ＡＶデコード出力処理（Ｓ２１２）を行う。
【００１１】
一方、ＯＦＤＭチューナ１０３は緊急警報放送が運用されている所定のチャンネルを選局（Ｓ２０８）し、ＯＦＤＭ復調部１０４で復調し、緊急警報放送検出部１０５でＴＭＣＣ信号を検出（Ｓ２０９）する。前記ＴＭＣＣ信号やＴＳＭＦ信号は緊急警報放送中のみ送信局から付加して送出されるが、緊急警報放送のテスト送出時も付加されるため、ＴＭＣＣ信号やＴＳＭＦ信号を検出しただけでは、テスト放送なのか本当の緊急時の放送なのかは判別不可能であり、判別するには、夫々の復調信号をデマルチプレクサ１０６でＴＳデコードし、緊急警報記述子を抜き出しデコードする必要がある。
【００１２】
従って、選局指示により、選択されているチャンネルはテスト放送かどうかは検出可能であるが、もう一方の緊急警報放送の検知のために  所定チャンネルを選局しているチューナの復調信号だけではテスト信号かどうか判別できない。
【００１３】
その問題を解決するために、本発明では、テスト放送の送出期間は緊急警報放送の検知を無効にする手段を設けている。
【００１４】
緊急警報放送を運用する所定のチャンネルのテスト放送日時をＣＰＵ制御部１０９に予め記憶しておき、その期間内にＴＳＭＦ信号やＴＭＣＣ信号が検出された場合（Ｓ２１０のＮｏ）は、告知デバイス１１２を動作させず、テスト放送期間外のときのみ、告知デバイス１１２を動作させる（Ｓ２１１）。告知デバイス１１２は警報ブサーやランプなどユーザに聴覚や視覚やその他の手段で告知するものであり、ＣＰＵ制御部１０９より制御される。
【００１５】
なお図２ではテスト放送期間は告知デバイスを動作させない実施例であるが、テスト放送期間も告知デバイスを動作させるためにＳ２１０を常に有効な期間であると判断させるようにＣＰＵ制御部１０９を制御することも可能である。
【００１６】
次に本発明の実施の形態１においてＣＡＴＶ局から地上デジタル放送がパススルー方式とトランスモジュレーション方式の両方式で配信されている場合の請求項３の動作を図３のフローチャートを用いて説明する。
【００１７】
図３では、地上デジタル放送の受信はトランスモジュレーション方式のＱＡＭチューナ１０１を使用し、緊急警報放送の検知のためには、地上デジタル放送の緊急警報放送を運用する特定のチャンネルをパススルー方式のＯＦＤＭチューナ１０３で常時受信する。特定のチャンネルとは例えばＮＨＫなどである。
【００１８】
電源ＯＮ状態でのリモコン１１１からのユーザ操作による選局指示またはスタンバイ状態での番組情報や契約情報の取得のための所定のチャンネルの選局指示（Ｓ３０２）がＣＰＵ制御部１０９よりあった場合に、全ての放送サービスをＱＡＭチューナ１０２で選局（Ｓ３０３）し、選択部１１３でＱＡＭ復調部１０４側を選択し、デマルチプレクサ１０６でＴＳデコードし、ＡＶデコーダ１０７、ＤＡ変換部１０８を介して、ＡＶデコード出力処理（Ｓ３０４）を行う。
【００１９】
一方、ＯＦＤＭチューナ１０３は地上デジタル放送の緊急警報放送が運用されている所定のチャンネルを選局（Ｓ３０５）し、ＯＦＤＭ復調部１０４で復調し、緊急警報放送検出部１０５でＴＭＣＣ信号を検出（Ｓ３０６）する。
【００２０】
さらに緊急警報放送のテスト期間かどうかを前記図２の説明と同様にＳ３０７で判定し、テスト期間でない場合に告知デバイス１１２を動作させる（Ｓ３０８）。
【００２１】
このように制御することで、常時緊急警報放送の検出が可能である。
【００２２】
次に本発明の実施の形態１において、前記図２と図３の緊急警報放送の検知手段をＣＡＴＶ局からの地上デジタル放送がパススルー方式のみで伝送されているのか、パススルー方式とトランスモジュレーション方式の両方式で伝送されているのかを自動で検知し、切り換える請求項４の動作を図４のフローチャートを用いて説明する。
【００２３】
ＣＡＴＶ局からの放送を視聴するために、一般的に設置時などに選局するために必要な全サービスの情報を最初にＣＰＵ制御部１０９に記憶させる。これは具体的には各放送のＮＩＴ情報を取得することで実現できるが、ＣＡＴＶ局ごとに伝送方式や送信周波数が異なっている。
【００２４】
そこで、まずＱＡＭチューナ１０１で所定の範囲の伝送周波数の帯域を順次サーチ（Ｓ４０２）し、信号が検出できれば（Ｓ４０３のＹｅｓ）、ＮＩＴ情報を取得し、放送サービスのチャンネル情報を構築する（Ｓ４０４）。全周波数サーチが完了しても信号が検出できない場合（Ｓ４０３のＮｏ）は地上デジタル放送はトランスモジュレーション方式では伝送されていないと判断されるので次にＯＦＤＭチューナ１０３で所定の範囲の伝送周波数の帯域を順位サーチ（Ｓ４０８）し、全チャンネルの選局情報を信号が検出できれば（Ｓ４０９のＹｅｓ）、ＮＩＴ情報を取得し、放送サービスのチャンネル情報を構築する（Ｓ４１０）。
【００２５】
この場合、地上デジタル放送はパススルー方式で配信（Ｓ４１３）しているとＣＰＵ制御部１０９は記憶し、図２の処理を選択する。
【００２６】
一方ＱＡＭチューナ１０１でもＯＦＤＭチューナ１０３でも信号サーチによって信号検出ができなかった場合（Ｓ４０９のＮｏ）は、地上デジタル放送は伝送されていないと判断され、ＣＰＵ制御部１０９はＯＦＤＭチューナ１０３で受信する地上デジタル放送を選局対象外とする。
【００２７】
一方ＱＡＭチューナ１０１で放送サービスのチャンネル情報を構築した（Ｓ４０４）場合、続けてＯＦＤＭチューナ１０３で、緊急警報放送を運用する所定のチャンネルの選局情報が取得できるまで所定の伝送周波数の帯域を順位サーチ（Ｓ４０５）する。前記所定のチャンネルの信号を検出した場合（Ｓ４０６のＹｅｓ）、緊急警報放送を監視するためのチャンネル情報をＣＰＵ制御部１０９に構築（Ｓ４０７）し、この場合は、地上デジタル放送は  パススルー方式とトランスモジュレーション方式の両方式で伝送されているとＣＰＵ制御部１０９は記憶し、図３の処理を選択する。
【００２８】
また前記所定のチャンネルの信号を検出できなかった場合（Ｓ４０６のＮｏ）、地上デジタル放送はトランスモジュレーション方式で伝送されているとＣＰＵ制御部１０９は記憶し、選局時ＯＦＤＭチューナ１０３を使用しない。
【産業上の利用可能性】
【００２９】
本発明のＣＡＴＶ受信装置は、地上デジタル放送のパススルー伝送方式の信号を受信するＯＦＤＭチューナとデジタル放送のトランスモジュレーション伝送方式の信号を受信するＱＡＭチューナの両方を有し、夫々のチューナからの入力信号を同時に復調する手段と、どちらか一方のチューナの復調信号をＴＳデコードし、映像、音声、番組情報などの情報を取得する手段と、取得した前記映像、音声をデコードし出力する手段を有し、ＣＡＴＶ局から地上デジタル放送はパススルー伝送方式で、それ以外のデジタル放送はトランスモジュレーション伝送方式で信号配信を行う場合に、電源ＯＮ時や電源待機中にＱＡＭチューナ側からの復調信号をＴＳデコードしている場合は、ＯＦＤＭチューナ側を緊急警報放送を運用する特定のチャンネルに同調し復調する手段と、復調信号からＴＭＣＣ信号を監視する手段を有し、ＯＦＤＭチューナ側からの復調信号をＴＳデコードしている場合は、ＱＡＭチューナ側を緊急警報放送を運用する特定のチャンネルに同調し復調する手段と、復調信号からＴＳＭＦ信号を監視する手段を有し、前記ＴＭＣＣ信号またはＴＳＭＦ信号が検知された場合に、警報装置を動作させる手段を有しており、２つの異なる伝送方式のチューナを有することにより、ＣＡＴＶ局の地上波デジタル放送の伝送方式にあわせて、他のチャンネルの視聴中や電源スタンバイ中でも緊急警報放送を監視し、ユーザに告知することが可能となる。
【図面の簡単な説明】
【００３０】
【図１】本発明の実施の形態１によるＣＡＴＶ受信装置の構成を示すブロック図
【図２】本発明の実施の形態１による第１の処理手順を示すフローチャート
【図３】本発明の実施の形態１による第２の処理手順を示すフローチャート
【図４】本発明の実施の形態１による第３の処理手順を示すフローチャート
【符号の説明】
【００３１】
１００    実施の形態１におけるＣＡＴＶ受信装置
１０１    ＱＡＭチューナ
１０２    ＱＡＭ復調部
１０３    ＯＦＤＭチューナ
１０４    ＯＦＤＭ復調部
１０５    緊急警報放送検出部
１０６    デマルチプレクサ
１０７    ＡＶデコーダ
１０８    ＤＡ変換部
１０９    ＣＰＵ制御部
１１０    電源
１１１    リモコン
１１２    告知デバイス
１１３    選択部
【図１】
2007228117.tif 000003
【図２】
2007228117.tif 000004
【図３】
2007228117.tif 000005
【図４】
2007228117.tif 000006